(57)【要約】【課題】      軽量化、積載効率の優れた物流運搬用パレット及び輸送方法の提供。【解決手段】  本体シート（Ａ）の上部に２本のフレーム（Ｂ）を有したパレットを使用することにより、フォークリフト等で持ち上げる際には、２本のフレームで積載された荷物の荷重を受ける形状とすることで、上記課題を解決できる。【選択図】  図１
2006016074.tif 000002
【特許請求の範囲】
【請求項１】
本体シート（Ａ）の上部にフォークリフトのフォークを出し入れ可能な２本のフレーム（Ｂ）を有することを特徴とする物流運搬用パレット。
【請求項２】
２本のフレーム（Ｂ）が平行で、フォークリフトのフォークを出し入れ可能な開口穴（Ｃ）を有することを特徴とする請求項１記載の物流運搬用パレット。
【請求項３】
本体シート（Ａ）の四隅の角に突き刺しによる積載物の破損を軽減するためのカットを有することを特徴とする請求項１又は２記載の物流運搬用パレット。
【請求項４】
請求項１〜３のいずれかに記載の物流運搬用パレットを使用することを特徴とする角型フレキシブルコンテナーバック並びに紙袋又はポリエチ袋入り荷物の輸送方法。
【発明の詳細な説明】
【技術分野】
【技術分野】
【０００１】  本発明は、例えば、角型フレキシブルコンテナーバック、紙袋又はポリエチ袋入り荷物等をフォークリフト等を用いて運搬するための物流運搬用パッレット及びその輸送方法に関する。
【背景技術】
【０００２】  従来のパレットは、木製・樹脂製とも本体シートが積載する荷物の加重を支える構造となっているため、それに耐えうるシート及び骨組みの強度を必要とする。それ故、シートや骨組みの厚みを厚くする必要があり、パレットを製造するための木材（板等）や樹脂の量も多くなるため重く扱い難いだけでなく、経済性、省資源化や廃棄を考えると環境面からも好ましいものではなかった。且つ運搬には、一般的にフォークリフト並びに人力によるハンドリフト等が用いられるため、パレットはフォークの出し入れが可能な開口穴をシート側面に有している。【０００３】  従って、上記のようなパレットは、１）積載する荷物が重量物になるに比例して本体シートの強度が要求されるためシート自身の重量が増加し作業性を悪化する。２）上記１）に伴いパレットの高さも強度面から制限され一般的に積載される荷物の重量物に比例して高く（厚く）なる。そのため、荷物をコンテナ等で輸送する場合は、一般的に高さ制限があるので積載する荷物の輸送効率が低下するといった問題があった。【０００４】  これらの欠点を補う目的で、熱可塑性樹脂をブロー成型してなる中空状のパレットであり底面にフォークリフトのフォークを挿入するための凹部が形成されたパレットがあるが、中空にすることで軽量化はできるがフォークでパレットを下から支える構造であり強度を持たせる必要があり、厚みを薄くするには限界があった（例えば、特許文献１及び２参照。）。【０００５】  また、本発明の類似した構造を有するパレットとして、下板、上板及び両者を一体に接続する結合具からなり、下板は、ヒンジ構造の持つ折り目を折り曲げることにより、左右に並んだ逆台形断面を形成して、フォークリフトのフォーク挿入溝を有するパレットが知られているが、これは、使用後は分解し折り畳んで減溶化することにより返送再使用を容易にするものであるが、これもフォークでパレットを下から支える構造であり強度を持たせるには、厚みを薄くするには限界があった（例えば、特許文献３参照。）。【０００６】  軽量の観点からシート部材以外の部材を使用せず、貨物積載部分が合成樹脂製の上下シートの二枚重ねとされ、その二枚重ねされた部分にフォークリフトのフォーク等の貨物支持手段を入れるようなシートパレットが開示されているが、フォークリフトのフォークを適切な位置に挿入することが困難であり貨物の重心のバランスを取り難く貨物が転落する等の問題やパレットが回転してしまう等の問題があった（例えば、特許文献４参照。）。
【特許文献１】  特開２００３−１３７２８８号
【特許文献２】  特開平９−１８８３２５号
【特許文献３】  特開２００２−３７０７４１号
【特許文献４】  特開２０００−２７２８９８号
【発明の開示】
【発明が解決しようとする課題】
【０００７】  上述したような問題があり、取扱い難さの改善のための軽量化、更に積載する荷物の重量に関係なく高さを極力低く抑えることによる輸送効率の向上を図ることができる物流運搬用パレットが要望されていた。
【課題を解決するための手段】
【０００８】  上記の目的を達成するために、発明者は鋭意検討の結果、
（１）本体シート（Ａ）の上部にフォークリフトのフォークを出し入れ可能な２本のフレーム（Ｂ）を有することを特徴とする物流運搬用パレット、
（２）２本のフレーム（Ｂ）が平行で、フォークリフトのフォークを出し入れ可能な開口穴（Ｃ）を有することを特徴とする（１）記載の物流運搬用パレット、
（３）本体シート（Ａ）の四隅の角に突き刺しによる積載物の破損を軽減するためのカットを有することを特徴とする（１）又は（２）記載の物流運搬用パレット、
（４）（１）〜（３）のいずれかに記載の物流運搬用パレットを使用することを特徴とする角型フレキシブルコンテナーバック並びに紙袋又はポリエチ袋入り荷物の輸送方法、に関する。【０００９】  更に詳しくは、図１及び図２に示すように、本体シート（Ａ）の上部に２本のフレーム（Ｂ）を有したパレットを使用することにより、フォークリフト等で持ち上げる際には、２本のフレームを含めた本体シート全体で積載された荷物の荷重を接触面全体で受ける形状にしたことを特徴としている。【００１０】  即ち、フォークリフト等のフォークの差込開口穴は、従来のパレットでは、本体側面にあるため、積載物の荷重がかかり本体シートの強度を強くする必要がある。【００１１】  本発明は、差込開口穴（Ｃ）が本体シートの上部に有するため、積載した荷物の重量は、フォークリフト等のフォークで支えられることになり本体シート自身の強度はそれほど必要ではなく、また床面等に静置した状態では、本発明のパッレトでは２本のフレームには積載された荷物の接触部分のみの荷重が加わることとなり、ほとんどの荷重は本体シートで受ける構造となっているが本体シートは床面に接触しており本体シートは、それ程強度を必要としない。【００１２】  上述したように積載された荷物をフォークリフト等のフォークで持ち上げる際には、荷重は２本のフレームに差し込まれたフォークリフト等のフォーク自体で積載物の荷重を受けとめ、フレーム並びに本体シートには大きな荷重が係らないためにフレーム並びに本体シート自体の強度を大幅に低減することが可能であり、パレット全体の厚みを薄くできること等からパレット全体の重量は大幅に軽量化することができ、使用樹脂原料の低減による省エネルギー面からの優位性のみならず、コンテナへの積載効率の向上から船舶・航空運賃面からの経済効率の面からも望ましい。
【発明の効果】
【００１３】  以上説明したとおり、本発明によれば、輸送段階での積載効率が大幅に向上される。特に角型フレシキブルコンテナーバック並びに紙袋又はポリエチ袋に充填された荷物を積載した場合は、積載された荷物のパレットとの接触面が２本のフレームに沿って荷が柔軟に変形するため実質的にパレットの高さは、本体のみの厚みとなりパレットあたりの積載効率は向上する。また、パレット製造時の樹脂重量を大幅に削減できるため省資源化にも寄与する。【００１４】  従って、本発明は一般的なトラック輸送並びにコンテナ輸送における輸送効率が向上することとなり経済性の面からも有用であるのみならず、パレット全体の厚みを薄くできること等からパレット全体の重量は大幅に軽量化することができ、使用樹脂原料の低減による省エネルギー面からの優位性もある。
【発明を実施するための最良の形態】
【００１５】  以下、添付図面に基づき本発明の実施例を説明する。
図１は本発明の好ましい一例の外観説明図、図２は図１に示す下面図、図３は図１に示す横面並びに側面断面図であるが、添付図面に示す数値はコンテナのサイズやフォークリフトの形状により変更できるものであり記載の数値に限定されるものではない。また、本発明のパレットは、本体シート（Ａ）と２本のフレーム（Ｂ）から構成されており、射出成型や押出成型等の製造方法により本体シート（Ａ）と２本のフレーム（Ｂ）とを一体成型により製造することができるし、また、本体シートに対してフレームを後付け方式（図５、接着・ビス止め）でも同等の効果が得られるが、パレット製造法はこれらに限定されるものではない。【００１６】  本発明のパレットの寸法の一例は、本体シート（Ａ）横幅１１００ｍｍ、長さ１１５０ｍｍ  高さ約７０ｍｍ板厚約２．５ｍｍである。本体シート（Ａ）の四隅の角には、突き刺し防止策として約８０ｍｍカットを施すことにより、積載作業時の突き刺しにより製品の破損を防止する形状になっている。【００１７】  ２本のフレーム（Ｂ）の間隔は特に制限はないが、一例として６４０ｍｍ、開口部（Ｃ）の横幅１１０ｍｍ、高さ約６２ｍｍ板厚約５ｍｍである。また、開口部（Ｃ）の形状を射出成型が容易な形状（図６）にした場合には、開口部の底面がないため積載した荷物の重量がフレームのかかった場合、開口部が変形しフォークリフトのフォークを差すことができなかった。この場合は、コスト等を考慮しながら鉄製等強度面の適した材質を選択する必要がある。【００１８】  即ち、図１、図３で示すように、開口部に底面がある場合には、フレームに荷物の重量がかかってもフレキシブルコンテナー等を輸送する重量では潰れることもなかった。なお、フレームの形状は、必ずしも長方形でなくてもよく台形やＲを有する曲線であってもよい。また、この場合には、強度向上のために斜面部分やＲを有する部分を設けてもよい。【００１９】  本発明のパレットの材料は、任意の適切な材料から製造できるが好ましい実施の形態では、コスト面や強度を考慮し、塩化ビニル樹脂・ポリエチレン樹脂・ポリプロピレン樹脂・アクリル樹脂・ＡＢＳ樹脂・ＭＢＳ樹脂・スチレン樹脂等のプラスチック材料を使用することが望ましい。
【実施例】
【００２０】  以下、製造例、実施例により本発明を具体的に説明するが、本発明はこれらに限定されることはない。【００２１】実施例１
樹脂材料として、ポリエチレン製樹脂（日本ポリオレフィン株式会社、商標名：ノバテックＨＤ４９０）を使用し、射出成型により図１に示す構成及び寸法を有するポリエチレン製樹脂パレットを作製した。
この物流運搬用パレットの積載可能量は４，２００ｋｇであり、繰り返し１０回使用しても破損・変形等は認められなかった。
【産業上の利用可能性】
【００２２】  取扱い難さの改善のための軽量化、更に積載する荷物の重量に関係なく高さを極力低く抑えることによる輸送効率の向上を図ることができる物流運搬用パレットを提供できる。
【符号の説明】
【００２３】（Ａ）本体シート
（Ｂ）フレーム
（Ｃ）差込開口穴
（Ｄ）ビス止め
【図１】
2006016074.tif 000003
【図２】
2006016074.tif 000004
【図３】
2006016074.tif 000005
【図４】
2006016074.tif 000006
【図５】
2006016074.tif 000007
【図６】
2006016074.tif 000008
【手続補正書】
【提出日】平成16年9月21日(2004.9.21)
【手続補正１】
【補正対象書類名】明細書
【補正対象項目名】全文
【補正方法】変更
【補正の内容】
【発明の詳細な説明】
【技術分野】
【０００１】  本発明は、例えば、角型フレキシブルコンテナーバック、紙袋又はポリエチ袋入り荷物等をフォークリフト等を用いて運搬するための物流運搬用パッレット及びその輸送方法に関する。
【背景技術】
【０００２】  従来のパレットは、木製・樹脂製とも本体シートが積載する荷物の加重を支える構造となっているため、それに耐えうるシート及び骨組みの強度を必要とする。それ故、シートや骨組みの厚みを厚くする必要があり、パレットを製造するための木材（板等）や樹脂の量も多くなるため重く扱い難いだけでなく、経済性、省資源化や廃棄を考えると環境面からも好ましいものではなかった。且つ運搬には、一般的にフォークリフト並びに人力によるハンドリフト等が用いられるため、パレットはフォークの出し入れが可能な開口穴をシート側面に有している。【０００３】  従って、上記のようなパレットは、１）積載する荷物が重量物になるに比例して本体シートの強度が要求されるためシート自身の重量が増加し作業性を悪化する。２）上記１）に伴いパレットの高さも強度面から制限され一般的に積載される荷物の重量物に比例して高く（厚く）なる。そのため、荷物をコンテナ等で輸送する場合は、一般的に高さ制限があるので積載する荷物の輸送効率が低下するといった問題があった。【０００４】  これらの欠点を補う目的で、熱可塑性樹脂をブロー成型してなる中空状のパレットであり底面にフォークリフトのフォークを挿入するための凹部が形成されたパレットがあるが、中空にすることで軽量化はできるがフォークでパレットを下から支える構造であり強度を持たせる必要があり、厚みを薄くするには限界があった（例えば、特許文献１及び２参照。）。【０００５】  また、本発明の類似した構造を有するパレットとして、下板、上板及び両者を一体に接続する結合具からなり、下板は、ヒンジ構造の持つ折り目を折り曲げることにより、左右に並んだ逆台形断面を形成して、フォークリフトのフォーク挿入溝を有するパレットが知られているが、これは、使用後は分解し折り畳んで減溶化することにより返送再使用を容易にするものであるが、これもフォークでパレットを下から支える構造であり強度を持たせるには、厚みを薄くするには限界があった（例えば、特許文献３参照。）。【０００６】  軽量の観点からシート部材以外の部材を使用せず、貨物積載部分が合成樹脂製の上下シートの二枚重ねとされ、その二枚重ねされた部分にフォークリフトのフォーク等の貨物支持手段を入れるようなシートパレットが開示されているが、フォークリフトのフォークを適切な位置に挿入することが困難であり貨物の重心のバランスを取り難く貨物が転落する等の問題やパレットが回転してしまう等の問題があった（例えば、特許文献４参照。）。
【特許文献１】  特開２００３−１３７２８８号
【特許文献２】  特開平９−１８８３２５号
【特許文献３】  特開２００２−３７０７４１号
【特許文献４】  特開２０００−２７２８９８号
【発明の開示】
【発明が解決しようとする課題】
【０００７】  上述したような問題があり、取扱い難さの改善のための軽量化、更に積載する荷物の重量に関係なく高さを極力低く抑えることによる輸送効率の向上を図ることができる物流運搬用パレットが要望されていた。
【課題を解決するための手段】
【０００８】  上記の目的を達成するために、発明者は鋭意検討の結果、
（１）本体シート（Ａ）の上部にフォークリフトのフォークを出し入れ可能な２本のフレーム（Ｂ）を有することを特徴とする物流運搬用パレット、
（２）２本のフレーム（Ｂ）が平行で、フォークリフトのフォークを出し入れ可能な開口穴（Ｃ）を有することを特徴とする（１）記載の物流運搬用パレット、
（３）本体シート（Ａ）の四隅の角に突き刺しによる積載物の破損を軽減するためのカットを有することを特徴とする（１）又は（２）記載の物流運搬用パレット、
（４）（１）〜（３）のいずれかに記載の物流運搬用パレットを使用することを特徴とする角型フレキシブルコンテナーバック並びに紙袋又はポリエチ袋入り荷物の輸送方法、に関する。【０００９】  更に詳しくは、図１及び図２に示すように、本体シート（Ａ）の上部に２本のフレーム（Ｂ）を有したパレットを使用することにより、フォークリフト等で持ち上げる際には、２本のフレームを含めた本体シート全体で積載された荷物の荷重を接触面全体で受ける形状にしたことを特徴としている。【００１０】  即ち、フォークリフト等のフォークの差込開口穴は、従来のパレットでは、本体側面にあるため、積載物の荷重がかかり本体シートの強度を強くする必要がある。【００１１】  本発明は、差込開口穴（Ｃ）が本体シートの上部に有するため、積載した荷物の重量は、フォークリフト等のフォークで支えられることになり本体シート自身の強度はそれほど必要ではなく、また床面等に静置した状態では、本発明のパッレトでは２本のフレームには積載された荷物の接触部分のみの荷重が加わることとなり、ほとんどの荷重は本体シートで受ける構造となっているが本体シートは床面に接触しており本体シートは、それ程強度を必要としない。【００１２】  上述したように積載された荷物をフォークリフト等のフォークで持ち上げる際には、荷重は２本のフレームに差し込まれたフォークリフト等のフォーク自体で積載物の荷重を受けとめ、フレーム並びに本体シートには大きな荷重が係らないためにフレーム並びに本体シート自体の強度を大幅に低減することが可能であり、パレット全体の厚みを薄くできること等からパレット全体の重量は大幅に軽量化することができ、使用樹脂原料の低減による省エネルギー面からの優位性のみならず、コンテナへの積載効率の向上から船舶・航空運賃面からの経済効率の面からも望ましい。
【発明の効果】
【００１３】  以上説明したとおり、本発明によれば、輸送段階での積載効率が大幅に向上される。特に角型フレシキブルコンテナーバック並びに紙袋又はポリエチ袋に充填された荷物を積載した場合は、積載された荷物のパレットとの接触面が２本のフレームに沿って荷が柔軟に変形するため実質的にパレットの高さは、本体のみの厚みとなりパレットあたりの積載効率は向上する。また、パレット製造時の樹脂重量を大幅に削減できるため省資源化にも寄与する。【００１４】  従って、本発明は一般的なトラック輸送並びにコンテナ輸送における輸送効率が向上することとなり経済性の面からも有用であるのみならず、パレット全体の厚みを薄くできること等からパレット全体の重量は大幅に軽量化することができ、使用樹脂原料の低減による省エネルギー面からの優位性もある。
【発明を実施するための最良の形態】
【００１５】  以下、添付図面に基づき本発明の実施例を説明する。
図１は本発明の好ましい一例の外観説明図、図２は図１に示す下面図、図３は図１に示す横面並びに側面断面図であるが、添付図面に示す数値はコンテナのサイズやフォークリフトの形状により変更できるものであり記載の数値に限定されるものではない。また、本発明のパレットは、本体シート（Ａ）と２本のフレーム（Ｂ）から構成されており、射出成型や押出成型等の製造方法により本体シート（Ａ）と２本のフレーム（Ｂ）とを一体成型により製造することができるし、また、本体シートに対してフレームを後付け方式（図５、接着・ビス止め）でも同等の効果が得られるが、パレット製造法はこれらに限定されるものではない。【００１６】  本発明のパレットの寸法の一例は、本体シート（Ａ）横幅１１００ｍｍ、長さ１１５０ｍｍ  高さ約７０ｍｍ板厚約２．５ｍｍである。本体シート（Ａ）の四隅の角には、突き刺し防止策として約８０ｍｍカットを施すことにより、積載作業時の突き刺しにより製品の破損を防止する形状になっている。【００１７】  ２本のフレーム（Ｂ）の間隔は特に制限はないが、一例として６４０ｍｍ、開口部（Ｃ）の横幅１１０ｍｍ、高さ約６２ｍｍ板厚約５ｍｍである。また、開口部（Ｃ）の形状を射出成型が容易な形状（図６）にした場合には、開口部の底面がないため積載した荷物の重量がフレームのかかった場合、開口部が変形しフォークリフトのフォークを差すことができなかった。この場合は、コスト等を考慮しながら鉄製等強度面の適した材質を選択する必要がある。【００１８】  即ち、図１、図３で示すように、開口部に底面がある場合には、フレームに荷物の重量がかかってもフレキシブルコンテナー等を輸送する重量では潰れることもなかった。なお、フレームの形状は、必ずしも長方形でなくてもよく台形やＲを有する曲線であってもよい。また、この場合には、強度向上のために斜面部分やＲを有する部分を設けてもよい。【００１９】  本発明のパレットの材料は、任意の適切な材料から製造できるが好ましい実施の形態では、コスト面や強度を考慮し、塩化ビニル樹脂・ポリエチレン樹脂・ポリプロピレン樹脂・アクリル樹脂・ＡＢＳ樹脂・ＭＢＳ樹脂・スチレン樹脂等のプラスチック材料を使用することが望ましい。
【実施例】
【００２０】  以下、製造例、実施例により本発明を具体的に説明するが、本発明はこれらに限定されることはない。【００２１】実施例１
樹脂材料として、ポリエチレン製樹脂（日本ポリオレフィン株式会社、商標名：ノバテックＨＤ４９０）を使用し、射出成型により図１に示す構成及び寸法を有するポリエチレン製樹脂パレットを作製した。
この物流運搬用パレットの積載可能量は４，２００ｋｇであり、繰り返し１０回使用しても破損・変形等は認められなかった。
【産業上の利用可能性】
【００２２】  取扱い難さの改善のための軽量化、更に積載する荷物の重量に関係なく高さを極力低く抑えることによる輸送効率の向上を図ることができる物流運搬用パレットを提供できる。
【図面の簡単な説明】
【００２３】
【図１】本体シート（Ａ）とフレーム（Ｂ）からなる本発明の物流運搬用パレットの説明図（斜視図）。
【図２】図１に示すパレットの下面図（平面図）。
【図３】図１に示すパレットの断面図。
【図４】図１に示すパレットのフレーム（Ｂ）の拡大断面図。
【図５】図１に示すパレットのビス止め（Ｄ）の位置を表す説明図（斜視図）。
【図６】図１に示すパレットの差込開口穴（Ｃ）を表す断面図。
【符号の説明】
【００２４】（Ａ）本体シート
（Ｂ）フレーム
（Ｃ）差込開口穴
（Ｄ）ビス止め